(57)【特許請求の範囲】
【請求項１】
ゴルフクラブヘッドであって、
内部空洞を画定し、前記ゴルフクラブヘッドの下部に配設されるソールと、頂部に配設されるクラウンと、前記ソールと前記クラウンとの間の外面周辺に配設されるスカートと、ホーゼルとを備えるボディであって、前部と後部を有するボディと、
前記ボディの前記前部に配設されるフェースであって、前記ゴルフクラブヘッドの基点を画定する、理想的なインパクト位置を有し、前記ヘッドの基点は、前記ヘッドが理想的に配設されるとき、前記フェースに接線方向であり、地面に略平行のｘ軸と、前記ヘッドが理想的に配設されるとき、前記ｘ軸に略垂直であり、地面に略平行であるｙ軸と、前記ｘ軸と、前記ｙ軸との両方に垂直であるｚ軸とを含むフェースとを備え、
前記ゴルフクラブヘッドは、５００ｋｇ・ｍｍ２より大きい、前記ヘッドの基点ｚ軸に略平行の、前記ゴルフクラブヘッドの重心ｚ軸周囲に、慣性モーメントを有し、
前記ゴルフクラブヘッドの重心ｚ軸周囲の、前記慣性モーメントに対する、前記基点ｘ軸に略平行の、前記ゴルフクラブヘッドの重心ｘ軸周囲の、慣性モーメントの比率は、０．７より大きく、
前記ボディ内に形成される、少なくとも第１の質量要素および第２の質量要素をさらに備え、前記第１の質量要素および第２の質量要素は前記ホーゼルとは異なり、前記第１の質量要素は、３ｇから２３ｇの質量を有し、前記第２の質量要素は、２５ｇから３５ｇの質量を有し、
前記第１の質量要素は、３５ｍｍから６５ｍｍの、ヘッドの基点ｘ軸座標と、０ｍｍから３０ｍｍの、ヘッドの基点ｙ軸座標と、−２０ｍｍから１０ｍｍの、ヘッドの基点ｚ軸座標とを有し、
前記第２の質量要素は、−２０ｍｍから１０ｍｍの、ヘッドの基点ｘ軸座標と、９０ｍｍから１２０ｍｍの、ヘッドの基点ｙ軸座標と、−２０ｍｍから１０ｍｍの、ヘッドの基点ｚ軸座標とを有することを特徴とするゴルフクラブヘッド。
【請求項２】
前記ゴルフクラブヘッドの重心ｚ軸周囲の、前記慣性モーメントに対する、前記ゴルフクラブヘッドの重心ｘ軸周囲の、前記慣性モーメントの比率は、０．８より大きいことを特徴とする請求項１に記載のゴルフクラブヘッド。
【請求項３】
前記ゴルフクラブヘッドの重心ｘ軸周囲の、前記慣性モーメントは、３３０ｋｇ・ｍｍ２から５５０ｋｇ・ｍｍ２であることを特徴とする請求項１に記載のゴルフクラブヘッド。
【請求項４】
前記ゴルフクラブヘッドの体積は、４２０ｃｍ３から４８０ｃｍ３であることを特徴とする請求項１に記載のゴルフクラブヘッド。
【請求項５】
前記ソールと、スカートと、クラウンは、０．５５ｍｍから、０．８ｍｍの厚さを有する壁から構成されることを特徴とする請求項１に記載のゴルフクラブヘッド。
【請求項６】
前記スカート、およびクラウンの前記壁は、０．６５ｍｍの厚さを有することを特徴とする請求項５に記載のゴルフクラブヘッド。
【請求項７】
前記ボディは、複合材料から構成されることを特徴とする請求項１に記載のゴルフクラブヘッド。
【請求項８】
前記フェースは、複合材料から構成されることを特徴とする請求項１に記載のゴルフクラブヘッド。
【請求項９】
前記フェースは、変厚を有することを特徴とする請求項１に記載のゴルフクラブヘッド。
【請求項１０】
ゴルフクラブヘッドであって、
内部空洞を画定し、前記ゴルフクラブヘッドの下部に配設されるソールと、頂部に配設されるクラウンと、前記ソールとクラウンとの間の外面周辺に配設されるスカートと、ホーゼルとを備えるボディであって、前部と後部を有するボディと、
前記ボディの前記前部に配設されるフェースであって、前記ゴルフクラブヘッドの基点を画定する、理想的なインパクト位置を有し、前記ヘッドの基点は、前記ヘッドが理想的に配設されるとき、前記フェースに接線方向であり、地面に略平行のｘ軸と、前記ヘッドが理想的に配設されるとき、前記ｘ軸に略垂直であり、地面に略平行であるｙ軸と、前記ｘ軸と、前記ｙ軸との両方に垂直であるｚ軸とを含むフェースとを備え、
前記ゴルフクラブヘッドの基点ｚ軸に略平行の、前記ゴルフクラブヘッドの重心ｚ軸周囲の、慣性モーメントに対する、前記基点ｘ軸に略平行の、前記ゴルフクラブヘッドの重心ｘ軸周囲の、慣性モーメントの比率は、０．８より大きく、
前記ゴルフクラブヘッドは、５００ｋｇ・ｍｍ２より大きい、前記ヘッドの基点ｚ軸に略平行の、前記ゴルフクラブヘッドの重心ｚ軸周囲に、慣性モーメントを有し、
前記ボディ内に形成される、少なくとも第１の質量要素および第２の質量要素をさらに備え、前記第１の質量要素および第２の質量要素は前記ホーゼルとは異なり、前記第１の質量要素は、３ｇから２３ｇの質量を有し、前記第２の質量要素は、２５ｇから３０ｇの質量を有し、
前記第１の質量要素は、３５ｍｍから６５ｍｍの、ヘッドの基点ｘ軸座標と、１０ｍｍから３０ｍｍの、ヘッドの基点ｙ軸座標と、−２０ｍｍから５ｍｍの、ヘッドの基点ｚ軸座標とを有し、
前記第２の質量要素は、−１５ｍｍから１０ｍｍの、ヘッドの基点ｘ軸座標と、９０ｍｍから１２０ｍｍの、ヘッドの基点ｙ軸座標と、−２０ｍｍから１０ｍｍの、ヘッドの基点ｚ軸座標とを有することを特徴とするゴルフクラブヘッド。
【請求項１１】
前記ゴルフクラブヘッドの重心ｚ軸周囲の、前記慣性モーメントは、５００ｋｇ・ｍｍ２から６００ｋｇ・ｍｍ２であることを特徴とする請求項１０に記載のゴルフクラブヘッド。
【請求項１２】
前記ゴルフクラブヘッドの重心ｘ軸周囲の、前記慣性モーメントは、４２５ｋｇ・ｍｍ２から５２５ｋｇ・ｍｍ２であることを特徴とする請求項１０に記載のゴルフクラブヘッド。
【発明の詳細な説明】
【技術分野】
【０００１】
本願は、ゴルフクラブヘッド、より詳しくは、改善された質量分布特性を有するゴルフクラブヘッドに関する。
【背景技術】
【０００２】
ゴルフクラブヘッドの製造者および設計者は、ゴルフクラブヘッドの性能を改善する方法を、常に求めており、それは、美的外観を有する一方で、ゴルフクラブヘッドの寛容度およびプレー性を含む。概して、「寛容度」は、ミスヒット、すなわち、ゴルフクラブヘッド上の理想的ではないインパクト位置で、ゴルフボールを打つことから起こるヒットを補うゴルフクラブヘッドの能力として定義することができる。同様に、「プレー性」は、概して、様々な技術レベルを有するゴルファーが、質の高いゴルフショットを実現するために、ゴルフクラブヘッドを使用することができる容易さとして定義することができる。
【０００３】
ゴルフクラブヘッドの性能は、クラブヘッドの慣性モーメントの影響を直接受ける可能性がある。この慣性モーメントは、ゴルフボールとのインパクトによるねじれに対するクラブヘッドの耐性の大きさである。概して、ゴルフクラブヘッドの慣性モーメントがより高いと、特に、ゴルフボールの「オフセンター」のインパクトの間、ゴルフクラブヘッドは、ゴルフボールとのインパクト時のねじれを、より小さくする。ゴルフクラブヘッドのねじれがより小さいと、ゴルフクラブヘッドの寛容度およびストレートなゴルフショットを打つ確率が、より大きくなる。場合によっては、高い慣性モーメントを有するゴルフクラブヘッドは、ゴルフクラブヘッドとのインパクトによって、ボールスピードの増加も、もたらすことができ、それは概してゴルフショット距離の増加につながる。
【０００４】
概して、所定の軸周囲の質量の慣性モーメントは、軸からの質量の距離の２乗に比例する。つまり、所定の軸からの質量の距離がより大きいと、所定の軸周囲の質量の慣性モーメントは、より大きくなる。オフセンターのゴルフショットによるボールスピードのロスを軽減するために、ゴルフクラブヘッドの設計者および製造者は、ゴルフクラブヘッドの重心を介して、垂直に延在するゴルフクラブヘッドのｚ軸周囲の慣性モーメント、すなわち、Ｉｚｚを増加させようと努めてきた。垂直軸からの、ゴルフクラブヘッドの周縁の距離を増加させることによって、例えばゴルフクラブヘッドが、垂直軸からより離れて外方に延在すると、慣性モーメント（Ｉｚｚ）は、より大きくなり、ゴルフボールとのインパクトによる垂直軸周囲のゴルフクラブヘッドのねじれは、より小さくなり、ゴルフクラブヘッドの寛容度は、より大きくなる。
【０００５】
ゴルフクラブヘッドの形状、サイズ、および他の特性に関する、ＵｎｉｔｅｄＳｔａｔｅｓ Ｇｏｌｆ Ａｓｓｏｃｉａｔｉｏｎ（ＵＳＧＡ）の規定および制約は、ゴルフクラブヘッドによって達成可能な慣性モーメントを制限する傾向がある。例えば、ＵＳＧＡによって許可されている最大慣性モーメント（Ｉｚｚ）は、現在、５，９００ｇ・ｃｍ２（５９０ｋｇ・ｍｍ２）である。
【０００６】
よりストレートで、より長いゴルフショットを打ちたいという、ゴルファーの要望の増加から、ゴルフクラブ製造者は、許可されている最大の慣性モーメント（Ｉｚｚ）に、ますます近いゴルフクラブヘッドを近年製造してきた。高い慣性モーメント（Ｉｚｚ）を有するゴルフクラブヘッドは、より大きい、左から右へのショット形状の寛容度を提供することができるが、かかる利点は、ゴルファーがゴルフボールに衝撃を与える前に、クラブのフェースを十分に直角にすることができることを条件とする。例えば、ゴルフクラブヘッドのフェースが、ゴルフボールとのインパクト時、過度に開き過ぎる場合、ボールは、フェードまたはスライスする傾向がある。スイング中、ゴルフクラブヘッドを回転させることが、より難しい場合、ゴルフボールとのインパクトの前に、ゴルフクラブヘッドを直角にすることが、より困難になり、外れたゴルフショットを打つ傾向が、より大きくなる。しばしば、ゴルフクラブヘッドのかさ、またはサイズは、ゴルフクラブヘッドを適切なインパクト位置に回転させるゴルファーの能力に、悪影響を与える可能性がある。つまり、よりかさばるゴルフクラブヘッドの質量が、ホーゼルおよびシャフトからより離れて分布しているため、シャフト周囲の慣性モーメントは増加し、スイング中、シャフト周囲でゴルフクラブヘッドを回転させることを、より困難にする。
【０００７】
許可されている最大の慣性モーメント（Ｉｚｚ）に近い、従来のゴルフクラブヘッドは、ゴルフクラブヘッドの外面が外方へ延在することから、より低い慣性モーメントを有するクラブヘッドよりも、かさばる傾向がある。ゴルフクラブヘッドのかさは、より大きい寛容度のために、より高い慣性モーメント（Ｉｚｚ）を提供することができるが、ゴルフクラブヘッドのかさが、ゴルファーが、ゴルフクラブヘッドを直角にすることを、より困難にするため、かかる利点は、減少する傾向がある。つまり、ゴルフクラブヘッドのかさによって、ゴルファーがクラブのフェースを直角にできないことから、ゴルフクラブヘッドの高い寛容度は、無効になる可能性がある。
【発明の開示】
【課題を解決するための手段】
【０００８】
いくつかの従来の、高い慣性モーメントのゴルフクラブヘッドよりも、かさが小さいが、ゴルフクラブヘッドのそれぞれの軸周囲の、慣性モーメントの協調的組合せによって、増加した寛容度を提供するゴルフクラブヘッドの実施形態を、本願に記述する。
【０００９】
一実施形態によると、ゴルフクラブヘッドは、ボディおよびフェースを備える。ボディは、内部空洞を画定し、ゴルフクラブヘッドの下部に配設されるソール、頂部に配設されるクラウン、ならびにソールと、クラウンとの間の外面周囲に配設されるスカートを備えることができる。ボディは、前部および後部を有することができる。フェースは、ボディの前部に配設され、ゴルフクラブヘッドの基点を画定する理想的なインパクト位置を有することができる。ヘッドの基点は、ヘッドが理想的に配設されるとき、フェースに接線方向であり、地面に略平行のｘ軸、ヘッドが理想的に配設されるとき、ｘ軸に略垂直であり、地面に略平行のｙ軸、ならびにｘ軸、およびｙ軸の両方に垂直であるｚ軸を含むことができる。ゴルフクラブヘッドは、約５００ｋｇ・ｍｍ２よりも大きい、ヘッドの基点ｚ軸に略平行の、ゴルフクラブヘッドの重心ｚ軸周囲に、慣性モーメントを有することができる。さらに、基点ｘ軸に略平行の、ゴルフクラブヘッドの重心ｘ軸周囲の慣性モーメントの、ゴルフクラブヘッドの重心ｚ軸周囲の慣性モーメントに対する比率（Ｉｘｘ／Ｉｚｚ）は、約０．６よりも大きい。
【００１０】
一部の実施形態において、比率Ｉｘｘ／Ｉｚｚは、約０．７よりも大きい。他の実施形態において、比率Ｉｘｘ／Ｉｚｚは、約０．８よりも大きい。ゴルフクラブヘッドの重心ｘ軸周囲の慣性モーメントは、約３３０ｋｇ・ｍｍ２から約５５０ｋｇ・ｍｍ２であることが可能である。
【００１１】
開示されるゴルフクラブヘッドの、先述の、および他の機能、ならびに有利点は、以下の詳細な説明からより明らかとなり、それは、添付の図面を参照して進められる。
【発明を実施するための最良の形態】
【００１２】
以下の説明では、「上方」、「下方」、「上部」、「下部」、「水平」、「垂直」、「左」、「右」など、特定の用語を使用する場合がある。これらの用語は、特に、図示される実施形態に関して、相対関係を取り扱う際、妥当な場合、説明の多少の明確さを提供するために使用される。しかしながら、これらの用語は、絶対的な関係、位置、および／または方向を意味することを、意図しない。例えば、物体に関して、「上部」表面は、単純に、物体を裏返すことによって、「下部」表面になることができる。それでもなお、それは、同一の物体である。
【００１３】
図１〜９に示すように、ゴルフクラブヘッド２など、ウッド型（例えば、ドライバー、またはフェアウェイウッド）ゴルフクラブヘッドは、中空のボディ１０を含む。ボディ１０は、クラウン１２、ソール１４、スカート１６、内部空洞７９を画定する打撃フェースまたはフェース部１８（図７〜９を参照）を含む。ボディ１０は、ホーゼル２０を含むことができ、それは、ゴルフクラブのシャフトを収容するように構成される、ホーゼル穴２４（図６を参照）を画定する。ボディ１０は、ヒール部２６、トウ部２８、フロント部３０、およびリア部３２を、さらに含む。また、ゴルフクラブヘッド２は、ゴルフクラブヘッド２の体積変位に等しい、立法センチメートル（ｃｍ３）で通常測定される、体積を有する。一部の実施形態において、ゴルフクラブヘッド２は、約４２０ｃｍ３から約４８０ｃｍ３の体積、および約１９０ｇから約２１０ｇの全質量を有する。図３０を参照すると、特定の一実施形態において、ゴルフクラブヘッド２は、約４５８ｃｍ３の体積、および約２００ｇの全質量を有する。
【００１４】
クラウン１２は、（１）上下方向から見ると、ゴルフクラブヘッド２の周辺輪郭３４の上方にあり、（２）打撃フェース１８の、ボール打撃面２２の最上部後方にある、ゴルフクラブヘッド２の上部として画定される（図６を参照）。ボール打撃面２２は、打撃フェース１８の前部表面、または外部表面として画定され、ゴルフボールに衝撃を与えるように構成される（図示せず）。いくつかの実施形態では、以下により詳しく記載されるように、打撃フェースまたはフェース部１８は、溶接などの従来の接合技術を使用してボディ１０に接合される、打撃プレートであることが可能である。一部の実施形態では、ボール打撃面２２は、膨らみ、および起伏の湾曲部を有することができる。例えば、図３０を参照すると、ボール打撃面２２は、それぞれ半径約３０５ｍｍの、膨らみ、および起伏を有することができる。
【００１５】
ソール１４は、クラブヘッドが理想的に配設されるとき、すなわち、水平面上で、ゴルフボールに対して、適切なアドレス位置にあるとき、クラブヘッドの最下点から、上方に延在するゴルフクラブヘッド２の下部として、画定される。一部の実施形態において、ソール１４は、クラブヘッドの最下点から、クラウン１２までの距離の、約５０％から６０％延在し、それは、場合によっては、ドライバーに対して約１５ｍｍ、およびフェアウェイウッドに対して、約１０ｍｍから１２ｍｍである可能性がある。
【００１６】
ゴルフクラブヘッド２などのゴルフクラブヘッドは、ロフト角度１５（図１を参照）が、ゴルフクラブヘッド２のロフトにほぼ等しいとき、かつゴルフクラブヘッド２のライ角１９（図２を参照）が、６０度にほぼ等しいとき、その適切なアドレス位置にある。ロフト角度１５は、ボール打撃面２２上の理想的なインパクト位置２３に、接線の平面として画定されるフェース平面２７と、地面１７に対する垂直平面２９との間に、画定される角度である。ライ角１９は、ホーゼル２０、またはシャフトの縦軸２１と、地面１７との間に画定される角度である。本願において、地面１７は、水平面であると仮定される。
【００１７】
スカート１６は、クラウン１２と、ボール打撃面２２を除く、トウ部２８から、リア部３２周囲に、ヒール部２６まで、ゴルフクラブヘッド２の外面３４に延在する、クラウン１２とソール１４との間のゴルフクラブヘッド２の側部を含む。
【００１８】
図示される実施形態では、ゴルフクラブヘッド２の理想的なインパクト位置２３は、ボール打撃面２２（図４を参照）の幾何学的中心に配置される。ボール打撃面２２は、通常、打撃面の高さ（Ｈｓｓ）、および幅（Ｗｓｓ）の中点の交差点として、画定される。ＵＳＧＡ“Ｐｒｏｃｅｄｕｒｅ  ｆｏｒ  Ｍｅａｓｕｒｉｎｇ  ｔｈｅ  Ｆｌｅｘｉｂｉｌｉｔｙ  ｏｆ  ａ  Ｇｏｌｆ  Ｃｌｕｂｈｅａｄ，”Ｒｅｖｉｓｉｏｎ  ２．０を参照。一部の実施形態において、ゴルフクラブヘッド２は、約５０ｍｍから約６５ｍｍの高さ（Ｈｓｓ）、および約８０ｍｍから約１００ｍｍの幅（Ｗｓｓ）を有する。図３０を参照すると、特定の一実施形態では、ゴルフクラブヘッド２は、約５８．６ｍｍの高さ（Ｈｓｓ）、約９０．６ｍｍの幅（Ｗｓｓ）、および約３，９２９ｍｍ２の総打撃面積を有する。
【００１９】
一部の実施形態では、打撃フェース１８は、参照することによって本願に組み込まれる米国特許出願公開第２００５／０２３９５７５号、および第２００４／０２３５５８４号、米国特許出願第１１／６４２，３１０号、および米国仮特許出願第６０／８７７，３３６号に記載されるような、複合材料で作製される。他の実施形態では、打撃フェース１８は、合金（例えば、チタニウム、スチール、アルミニウム、および／またはマグネシウム）、セラミック材料、または合成物、合金、および／もしくはセラミック材料の組合せから作製される。さらに、打撃フェース１８は、参照することによって本願に組み込まれる米国特許第６，９９７，８２０号に記載されるような、変厚を有する打撃プレートであることが可能である。
【００２０】
クラウン１２、ソール１４、およびスカート１６は、鋳造、冷間成形、一体成型、および／または鍛造などの技術を使用して、一体的に形成することができ、打撃フェース１８は、当技術分野で既知の手段によって、クラウン、ソール、およびスカートに接合することができる。例えば、打撃フェース１８は、米国特許出願公開第２００５／０２３９５７５号、および第２００４／０２３５５８４号に記載されるような、ボディ１０に接合することができる。ボディ１０は、合金（例えば、チタニウム、スチール、アルミニウム、および／またはマグネシウム）、複合材料、セラミック材料、またはそれらのいかなる組合せから作製することができる。ゴルフクラブヘッド２の壁７２は、参照することによって本願に組み込まれる２００５年２月２５日出願の、米国出願第１１／０６７，４７５号に記載されるような、薄壁構造物から作製することができる。例えば、一部の実施形態において、壁は、約０．６５ｍｍから約０．８ｍｍの厚さを有することができる。特定の一実施形態では、クラウン１２、およびスカート１６の壁７２は、約０．６５ｍｍの厚さを有し、ソール１４の壁は、約０．８ｍｍの厚さを有する。
【００２１】
ゴルフクラブヘッドの基点座標系は、クラブヘッドの様々な特性の位置（例えば、クラブヘッドの重心（ＣＧ）５０（図５および６を参照）を含む）を決定することができるように、画定することができる。図４〜６を参照すると、クラブヘッドの基点６０は、ゴルフクラブヘッド２上に表される。ゴルフクラブヘッドの基点６０は、ボール打撃面２２の理想的なインパクト位置２３、または幾何学的中心に配設される。
【００２２】
図５および６を参照すると、ヘッドの基点６０に対して画定される、ヘッドの基点座標系は、ゴルフクラブヘッド２がアドレス位置にあるとき、地面１７に対して略垂直方向に、ヘッドの基点６０に延在するｚ軸６５、ボール打撃面２２に略平行、すなわち、理想的なインパクト位置２３で打撃面２２に略接線の、トウからヒールの方向に、ヘッドの基点６０に延在し、ｚ軸６５に略垂直であるｘ軸７０、および前後方向にヘッドの基点６０に延在し、ｘ軸７０、およびｚ軸６５に略垂直であるｙ軸７５の、３つの軸を含む。クラブヘッド２がアドレス位置にあるとき、ｘ軸７０、およびｙ軸７５は両方、地面１７に対して略水平方向に延在する。ｘ軸７０は、基点６０から、クラブヘッド２のヒール部２６に、正の方向に延在する。ｙ軸７５は、基点６０から、クラブヘッド２のリア部３２に、正の方向に延在する。ｚ軸６５は、基点６０から、クラウン１２に向かって、正の方向に延在する。
【００２３】
一実施形態では、ゴルフクラブヘッド２は、約−２ｍｍから約６ｍｍのｘ軸座標、約３３ｍｍから約４１ｍｍのｙ軸座標、約−７ｍｍから約１ｍｍのｚ軸座標を有する、ＣＧを有することができる。図３０を参照すると、特定の一実施形態では、ＣＧのｘ軸座標は、約１．８ｍｍであり、ＣＧのｙ軸座標は、約３７．１ｍｍであり、ＣＧのｚ軸座標は、約−３．２６ｍｍである。
【００２４】
図４を参照すると、ゴルフクラブヘッド２は、ゴルフクラブヘッド２が適切なアドレス位置にあるとき、ｚ軸に平行な軸に沿って測定される、ボディ１０の外側表面の最下点と、最上点との間の距離として画定される、最大のクラブヘッドの高さ（Ｈｃｈ）、ゴルフクラブヘッド２が適切なアドレス位置にあるとき、ｘ軸に平行な軸に沿って測定される、ボディ２０のヒール、およびトウ部２６、２８の最大範囲の間の距離として画定される、最大のクラブヘッドの幅（Ｗｃｈ）、およびゴルフクラブヘッド２が適切なアドレス位置にあるとき、ｙ軸に平行な軸に沿って測定される、ボディ１０の表面の最前点と、最後点との間の距離として画定される、最大のクラブヘッドの深さ（Ｄｃｈ）、または長さを有する。ゴルフクラブヘッド２の高さ、および幅は、ＵＳＧＡ“Ｐｒｏｃｅｄｕｒｅ  ｆｏｒ  Ｍｅａｓｕｒｉｎｇ  ｔｈｅ  Ｃｌｕｂｈｅａｄ  Ｓｉｚｅ  ｏｆ  Ｗｏｏｄ  Ｃｌｕｂｓ”Ｒｅｖｉｓｉｏｎ  １．０に従って、測定される。一部の実施形態において、ゴルフクラブヘッド２は、約５５ｍｍから７５ｍｍの高さ（Ｈｃｈ）、約１１０ｍｍから約１３０ｍｍの幅（Ｗｃｈ）、および約１１０ｍｍから約１３０ｍｍの深さ（Ｄｃｈ）を有する。図３０を参照すると、特定の一実施形態では、ゴルフクラブヘッド２は、約６０．７ｍｍの高さ（Ｈｃｈ）、約１２０．５ｍｍの幅（Ｗｃｈ）、約１１５ｍｍの深さ（Ｄｃｈ）を有する。
【００２５】
特定の実施形態では、ゴルフクラブヘッド２は、ソール１４の内側表面、および打撃フェース１８に略平行のスカート１６に沿って延在するリブ８２を含む。場合によっては、リブ８２は、ゴルフクラブヘッド２への構造的剛性および振動減衰を提供する。ゴルフクラブヘッド２は、単一のリブ８２を含むが、一部の実施形態において、ゴルフクラブヘッド２は、複数のリブ８２を含む。さらに、一部の実施形態において、リブ８２は、ソール１４のみに沿って延在するか、またはクラブヘッドの離れた側のスカート１６に沿って、それぞれ延在する２つの離間した部分を含む。
【００２６】
図５および６を参照すると、ゴルフクラブヘッドの慣性モーメントは、通常、ゴルフクラブヘッドのＣＧ５０を介して延在する、（１）ゴルフクラブヘッド２がアドレス位置にあるとき、地面１７に対して略垂直方向に、ＣＧ５０に延在するＣＧ  ｚ軸８５、（２）打撃面２２に略平行の、ヒールからトウの方向にＣＧ５０に延在し、ＣＧ  ｚ軸８５に略垂直のＣＧ  ｘ軸９０、および（３）前後方向にＣＧ５０に延在し、ＣＧ  ｘ軸９０、およびＣＧ  ｚ軸８５に略垂直のＣＧ  ｙ軸９５の、３つの軸の周囲に画定される。ＣＧ  ｘ軸９０、およびＣＧ  ｙ軸９５の両方は、ゴルフクラブヘッド２がアドレス位置にあるとき、地面１７に対して略水平方向に延在する。
【００２７】
ゴルフクラブヘッドのＣＧ  ｘ軸９０周囲の慣性モーメントは、以下の方程式によって計算される。
【数１】
0005400337.tif 000002
式中、ｙは、ゴルフクラブヘッドのＣＧ  ｘｚ面から、微小質量ｄｍまでの距離であり、ｚは、ゴルフクラブヘッドのＣＧ  ｘｙ面から、微小質量ｄｍまでの距離である。ゴルフクラブヘッドのＣＧ  ｘｚ面は、ゴルフクラブヘッドのＣＧ  ｘ軸９０、およびゴルフクラブヘッドのＣＧ  ｚ軸８５によって画定される面である。ＣＧ  ｘｙ面は、ゴルフクラブヘッドのＣＧ  ｘ軸９０、およびゴルフクラブヘッドのＣＧ  ｙ軸９５によって画定される面である。
【００２８】
ゴルフクラブヘッドのＣＧ  ｚ軸８５周囲の慣性モーメントは、以下の方程式によって計算される。
【数２】
0005400337.tif 000003
式中、ｘは、ゴルフクラブヘッドのＣＧ  ｙｚ面から、微小質量ｄｍまでの距離であり、ｙは、ゴルフクラブヘッドのＣＧ  ｘｚ面から、微小質量ｄｍまでの距離である。ゴルフクラブヘッドのＣＧ  ｙｚ面は、ゴルフクラブヘッドのＣＧ  ｙ軸９５、およびゴルフクラブヘッドのＣＧ  ｚ軸８５によって画定される面である。
【００２９】
ＣＧ  ｚ軸周囲の慣性モーメント（Ｉｚｚ）が、ＣＧ  ｚ軸周囲のねじれに抵抗する、ゴルフクラブヘッドの能力を表すものであるとき、ＣＧ  ｘ軸周囲の慣性モーメント（Ｉｘｘ）は、ＣＧ  ｘ軸周囲のねじれに抵抗する、ゴルフクラブヘッドの能力を表すものである。ＣＧ  ｘ軸周囲の慣性モーメント（Ｉｘｘ）がより高いと、ゴルフボールとの高いおよび低いオフセンターのインパクト時の、ゴルフクラブヘッドの寛容度が、より大きくなる。つまり、理想的なインパクト位置２３より上の打撃面１８の位置で、ゴルフクラブヘッドによって打たれるゴルフボールは、ゴルフクラブヘッドが上方にねじれ、ゴルフボールが、望んでいたより高い発射角度、およびより低いスピンを有する原因となる。同様に、理想的なインパクト位置２３より下の打撃面１８の位置で、ゴルフクラブヘッドによって打たれるゴルフボールは、ゴルフクラブヘッドが下方にねじれ、ゴルフボールが、望んでいたより低い発射角度、およびより高いスピンを有する原因となる。高い、および低いオフセンターのヒットの両方は、センターのヒットと比較して、ボールスピードのロスの原因にもなる。ＣＧ  ｘ軸周囲の慣性モーメント（Ｉｘｘ）の増加は、高い、および低いオフセンターのインパクトの悪影響を軽減するために、ゴルフクラブヘッドの上方、および下方のねじれを軽減する。
【００３０】
先述したように、多くの従来のゴルフクラブヘッドは、ストレートなショットを増加させ、ボールスピードのロスを軽減させるために、ＵＳＧＡによって許可されている最大の慣性モーメントに近づく、ＣＧ  ｚ軸周囲の慣性モーメント（Ｉｚｚ）、すなわち、ヒール、およびトウのオフセンターのヒット時の、寛容度を達成するように設計されている。しかしながら、ＣＧ  ｚ軸周囲の高い慣性モーメント（Ｉｚｚ）と併せて、ＣＧ  ｘ軸周囲の高い慣性モーメント（Ｉｘｘ）を達成するように設計される従来のゴルフクラブヘッドは、たとえあったとしてもわずかしかない。さらに、従来技術は、ＣＧ  ｘ軸周囲の慣性モーメント（Ｉｘｘ）の、ＣＧ  ｚ軸周囲の慣性モーメントに対する特定の比率、すなわち、Ｉｘｘ／Ｉｚｚを維持する一方で、ゴルフクラブヘッドを、ＣＧ  ｘ軸周囲の増加した慣性モーメント（Ｉｘｘ）を有するように構成する必要性、またはそれに関連する有利点を認識していない。
【００３１】
ＣＧ ｘ軸周囲の慣性モーメント（Ｉｘｘ）の増加は、通常、ホーゼル、およびシャフトから離れて、付加質量を分布することに関係しない。その結果、ＣＧｘ軸周囲の慣性モーメント（Ｉｘｘ）は、インパクト時に、クラブヘッドを直角にするゴルファーの能力に大きな影響を及ぼすことなく、増加することができる。したがって、ゴルフクラブヘッドは、クラブヘッドを直角にするゴルファーの能力に悪影響を及ぼすことなく、高い、低い、ヒール、およびトウのオフセンターのインパクト時に高い寛容度を有するゴルフクラブヘッドを提供するために、中程度に高いＣＧｚ軸周囲の慣性モーメント（Ｉｚｚ）、および増加したＣＧ ｘ軸周囲の慣性モーメント（Ｉｘｘ）を有することができる。さらに、所定のヘッド設計は、例えば、ＣＧ ｘ軸周囲の慣性モーメント（Ｉｘｘ）、および／またはＣＧ ｚ軸周囲の慣性モーメント（Ｉｚｚ）など、特定の慣性モーメントを達成するために使用することができる、限られた量の裁量質量のみを提供する。したがって、１つには、約５００ｋｇ・ｍｍ２を超えるＣＧ ｚ軸周囲の慣性モーメント（Ｉｚｚ）の増加が、比例してより少ない利点を得るという理由から、選択されたＣＧ ｚ軸周囲の慣性モーメント（Ｉｚｚ）を達成するために、裁量質量のすべて、またはほとんどを利用することは、望ましくない場合が多い。そのような場合には、ＣＧｚ軸周囲の慣性モーメント（Ｉｚｚ）を維持し、ＣＧ ｘ軸周囲の慣性モーメント（Ｉｘｘ）の増加、したがって、ＣＧ ｘ軸周囲の慣性モーメント（Ｉｘｘ）の、ＣＧｚ軸周囲の慣性モーメント（Ｉｚｚ）に対する比率の増加を実現するために、質量を再分布することが、望ましい場合が多い。
【００３２】
いくつかの実施形態によると、慣性モーメントは、回転軸から離れた質量の距離の２乗に比例するため、本願に記述されるゴルフクラブヘッドは、ゴルフクラブヘッドのかさを増加させることなく、ヘッドの慣性モーメントに影響を与えるために、ゴルフクラブヘッド周囲の戦略上の位置に配設される、１つ以上の局所的、または離散的質量要素を含むことができる。さらに、一部の実施形態では、薄壁構造物から作製されるボディと併せて、局所的、または離散的質量要素を使用することで、材料、および製造費用の増加につながる可能性がある複合材料を必要とすることなく、望ましい質量特性を提供することができる。
【００３３】
図７〜９を参照すると、ゴルフクラブヘッド２は、局所的なヒール質量要素７４およびリア質量要素７６を含む。質量要素は、ゴルフクラブヘッドの壁に固定され、またはゴルフクラブヘッドの壁との、またそこから延在するワンピース構造として、一体的に形成される質量を有する個々の構造、または質量をそれぞれ有する複数の局所的な構造として定義することができる。一体的に形成された質量要素は、壁の厚さの積層とすることができるが、質量要素を取り囲む壁に隣接した、およびそれと同一の一般的な厚さを有する、積層した壁の厚さの一部は、質量要素の一部を形成せず、したがって、質量要素の質量、または重心決定に含まれない。
【００３４】
質量要素７４、７６は、内部空洞７９内に配設され、壁７２、または打撃フェース１８の内側表面のそれぞれに固定、またはそれと一体的に形成することができる。図示されるように、質量要素７４、７６は、増加した、または積層した壁の厚さの、局所的範囲を形成するために、ボディ１０の壁７２、または打撃フェース１８と一体的に形成され、そこから内方に延在する。ヒール質量要素７４は、フロント部３０に近接したゴルフクラブヘッド２のヒール部２６で、スカート１４上に配設される。リア質量要素７６は、ソール１４、スカート１６、クラウン１２から内方に延在し、ゴルフクラブヘッド２のリア部３２に近接して配設される。
【００３５】
ゴルフクラブヘッド上の各質量要素７４、７６の位置は、クラブヘッドの基点座標系に対する、質量要素の重心の位置として画定することができる。例えば、一部の実施形態において、ヒール質量要素７４は、約３５ｍｍから約６５ｍｍの基点ｘ軸座標、約０ｍｍから約３０ｍｍの基点ｙ軸座標、および約−２０ｍｍから約１０ｍｍの基点ｚ軸座標を有する。特定の一実施形態では、ヒール質量要素７４は、約５０ｍｍの基点ｘ軸座標、約１５ｍｍの基点ｙ軸座標、および約−３ｍｍの基点ｚ軸座標を有する。同様に、一部の実施形態において、リア質量要素７６は、約−２０ｍｍから約１０ｍｍの基点ｘ軸座標、約９０ｍｍから約１２０ｍｍの基点ｙ軸座標、および約−２０ｍｍから約１０ｍｍの基点ｚ軸座標を有する。特定の一実施形態では、リア質量要素７６は、約−７ｍｍの基点ｘ軸座標、約１０６ｍｍの基点ｙ軸座標、および約−３ｍｍの基点ｚ軸座標を有する。
【００３６】
さらに、質量要素７４、７６は、様々な質量のいかなる要素を有することができる。例えば、一部の実施形態において、ヒール質量要素７４は、約３ｇから約２３ｇの質量を有し、リア質量要素７６は、約１５ｇから約３５ｇの質量を有する。特定の一実施では、ヒール質量要素７４は、約６ｇの質量を有し、リア質量要素７６は、約２４ｇの質量を有する。
【００３７】
質量要素７４、７６の位置、および質量を含む、ゴルフクラブヘッド２の構成は、一部の実施形態において、約４５０ｋｇ・ｍｍ２から約６００ｋｇ・ｍｍ２のＣＧ ｚ軸周囲の慣性モーメント（Ｉｚｚ）、および約２８０ｋｇ・ｍｍ２から約４００ｋｇ・ｍｍ２のＣＧ ｘ軸周囲の慣性モーメント（Ｉｘｘ）を有する、クラブヘッド２をもたらすことができる。図３０に示される質量要素の位置、および質量を有する、特定の一実施形態では、ゴルフクラブヘッド２は、約５２８ｋｇ・ｍｍ２のＣＧ ｚ軸周囲の慣性モーメント（Ｉｚｚ）、および約３３９ｋｇ・ｍｍ２のＣＧｘ軸周囲の慣性モーメント（Ｉｘｘ）を有する。本実施形態では、その結果、Ｉｘｘ／Ｉｚｚの比率は、約０．６４である。しかしながら、他の実施形態では、Ｉｘｘ／Ｉｚｚの比率は、約０．５から約０．９である。
【００３８】
図１０〜１６を参照すると、別の例示的な実施形態により、ゴルフクラブヘッド１００は、内部空洞１５７を画定する、クラウン１１２、ソール１１４、スカート１１６、および打撃フェース１１８を備える、ボディ１１０を有する。ボディ１１０は、ホーゼル１２０、ヒール部１２６、トウ部１２８、フロント部１３０、リア部１３２、および内部リブ１８２を、さらに含む。打撃フェース１１８は、打撃面の幾何学的中心１２３で、理想的なインパクト位置を有する、外方に向いているボール打撃面１２２を含む。一部の実施形態において、ゴルフクラブヘッド１００は、約４２０ｃｍ３から約４８０ｃｍ３の体積、および約１９０ｇから約２１０ｇの全質量を有する。図３０を参照すると、特定の一実施形態では、ゴルフクラブヘッド１００は、約４５４ｃｍ３の体積、および約２０２．８ｇの全質量を有する。
【００３９】
特に指定のない限り、ゴルフクラブヘッド１００のボディ１１０の、全般的な詳細、および特性は、ゴルフクラブヘッド２のボディ１０の、同一、または同様の特性を参照して、理解することができる。
【００４０】
ソール１１４は、ゴルフクラブヘッド２のソール１４よりも短い距離、ゴルフクラブヘッド１００の最下点から上方に延在する。例えば、一部の実施形態において、ソール１１４は、ゴルフクラブヘッド１００の最下点からクラウン１１２までの距離の約２０％から４０％上方に延在し、それは場合によっては、ドライバーに対して約１５ｍｍ、およびフェアウェイウッドに対して、約１０ｍｍから約１２ｍｍである可能性がある。さらに、ソール１１４は、適切なアドレス位置にあるとき、地面１１７に水平に延在する、実質的扁平部１１９を備える。一部の実施形態において、ソール１１４の最底部は、ゴルフクラブヘッド１００の深さ（Ｄｃｈ）の、約７０％から約４０％、地面１１７に実質的に平行に延在する。
【００４１】
ゴルフクラブヘッド１００のソール１１４は、ゴルフクラブヘッド２のソール１２よりも短いため、スカート１１６は、ゴルフクラブヘッド２のスカート１６よりも高く、すなわち、より大きい約垂直距離に延在する。少なくとも一実施形態では、ゴルフクラブヘッド１００は、クラブヘッドのリア部１３２に近接した、スカート１１６内に形成されるウェート部１４０を含む（図１２を参照）。ウェート部１４０は、参照することによって本願に組み込まれる米国特許出願第１１／０６６，７２０号、および第１１／０６５，７７２号に記載されるような、多くのウェート、またはウェートアセンブリのいずれも収容、および保持するような、多くの様々な構成のいずれも有することができる。
【００４２】
一部の実施形態において、打撃面１２２のゴルフクラブヘッド１００は、約５０ｍｍから約６５ｍｍの高さ（Ｈｓｓ）、および約８０ｍｍから約１００ｍｍの幅（Ｗｓｓ）を有する。図３０を参照すると、特定の一実施形態では、ゴルフクラブヘッド１００は、約５９．６ｍｍの高さ（Ｈｓｓ）、約９０．６ｍｍの幅（Ｗｓｓ）、および約４，０９８ｍｍ２の総打撃面積を有する。
【００４３】
一実施形態では、ゴルフクラブヘッド１００は、約−２ｍｍから約６ｍｍのｘ軸座標、約３３ｍｍから約４１ｍｍのｙ軸座標、および約−８ｍｍから約０ｍｍのｚ軸座標を有する、ＣＧを有する。図３０を参照すると、特定の一実施形態では、ＣＧ  ｘ軸座標は、約２．０ｍｍであり、ＣＧ  ｙ軸座標は、約３７．９ｍｍであり、ＣＧ  ｚ軸座標は、約−４．６７ｍｍである。
【００４４】
一部の実施形態において、ゴルフクラブヘッド１００は、約５５ｍｍから約７５ｍｍの高さ（Ｈｃｈ）、約１１０ｍｍから約１３０ｍｍの幅（Ｗｃｈ）、および約１１０ｍｍから約１３０ｍｍの深さ（Ｄｃｈ）を有する。図３０を参照すると、特定の一実施形態では、ゴルフクラブヘッド１００は、約６２．２ｍｍの高さ（Ｈｃｈ）、約１１９．３ｍｍの幅（Ｗｃｈ）、および約１１０．７ｍｍの深さ（Ｄｃｈ）を有する。
【００４５】
図１４〜１６を参照すると、ゴルフクラブヘッド１００は、局所的なヒール質量要素１７４、およびリア質量要素１７６を含む。一部の実施形態において、ヒール質量要素１７４は、約３５ｍｍから約６５ｍｍの基点ｘ軸座標、約１０ｍｍから約４０ｍｍの基点ｙ軸座標、および約−２５ｍｍから約５ｍｍの基点ｚ軸座標を有する。特定の一実施形態では、ヒール質量要素１７４は、約５０ｍｍの基点ｘ軸座標、約２５ｍｍの基点ｙ軸座標、および約−１０ｍｍの基点ｚ軸座標を有する。同様に、一部の実施形態において、リア質量要素１７６は、約−１５ｍｍから約１５ｍｍの基点ｘ軸座標、約９０ｍｍから約１２０ｍｍの基点ｙ軸座標、および約−２０ｍｍから約１０ｍｍの基点ｚ軸座標を有する。特定の一実施形態では、リア質量要素１７６は、約０ｍｍの基点ｘ軸座標、約１０３ｍｍの基点ｙ軸座標、および約−４ｍｍの基点ｚ軸座標を有する。
【００４６】
質量要素７４、７６と同様に、質量要素１７４、１７６は、様々な質量のいかなる要素を有することができる。例えば、一部の実施形態において、ヒール質量要素１７４は、約３ｇから約２３ｇの質量を有し、リア質量要素１７６は、約１０ｇから約３０ｇの質量を有する。特定の一実施形態では、ヒール質量要素１７４は、約６ｇの質量を有し、リア質量要素１７６は、約１９ｇの質量を有する。
【００４７】
質量要素１７４、１７６の位置および質量を含む、ゴルフクラブヘッド１００の構成は、一部の実施形態において、約４５０ｋｇ・ｍｍ２から約６００ｋｇ・ｍｍ２の、ＣＧ ｚ軸周囲の慣性モーメント（Ｉｚｚ）、および約２８０ｋｇ・ｍｍ２から約４００ｋｇ・ｍｍ２の、ＣＧ ｘ軸周囲の慣性モーメント（Ｉｘｘ）を有する、クラブヘッドをもたらすことができる。図３０に示される質量要素の位置、および質量を有する、特定の一実施形態では、クラブヘッド１００は、約４９８ｋｇ・ｍｍ２のＣＧ ｚ軸周囲の慣性モーメント（Ｉｚｚ）、および約３３７ｋｇ・ｍｍ２のＣＧｘ軸周囲の慣性モーメント（Ｉｘｘ）を有する。本実施形態において、その結果、Ｉｘｘ／Ｉｚｚの比率は、約０．６８である。しかしながら、他の実施形態では、Ｉｘｘ／Ｉｚｚの比率は、約０．５から約０．９である。
【００４８】
図１７〜２１を参照すると、別の例示的な実施形態により、ゴルフクラブヘッド２００は、ゴルフクラブヘッド１００のボディ１１０と同様の低いスカートを備えるボディ２１０を有する。ボディ２１０は、内部空洞２５７を画定する、クラウン２１２、ソール２１４、スカート２１６、打撃フェース２１８を含む。ボディ２１０は、ホーゼル２２０、ヒール部２２６、トウ部２２８、フロント部２３０、およびリア部２３２をさらに含む。打撃フェース２１８は、打撃面の幾何学的中心２２３で、理想的なインパクト位置を有する外方に向いているボール打撃面２２２を含む。一部の実施形態において、ゴルフクラブヘッド２００は、約４２０ｃｍ３から約４８０ｃｍ３の体積、および約１９０ｇから約２１０ｇの全質量を有する。図３０を参照すると、特定の一実施形態では、ゴルフクラブヘッド２００は、約４５４ｃｍ３の体積、および約２０２．８ｇの全質量を有する。
【００４９】
特に指定のない限り、ゴルフクラブヘッド２００のボディ２１０の、全般的な詳細、および特性は、ゴルフクラブヘッド２のボディ１０、およびゴルフクラブヘッド１００ボディ１１０の同一、または同様の特性を参照して、理解することができる。
【００５０】
ゴルフクラブヘッド１００のソール１１４と同様に、ソール２１４は、クラブヘッド２００の最下点から、クラウン２１２までの距離の、約２０％から約４０％上方に延在する。したがって、スカート２１６は、ゴルフクラブヘッド２のスカート１６よりも高く、すなわち、より大きい約垂直距離に延在する。
【００５１】
少なくとも一実施形態では、また図１８および２１に示すように、ゴルフクラブヘッド２００は、クラブヘッドのリア部２３２に近接した、ソール１１４内に形成されるウェート部２４０を含む。ウェート部２４０は、多くのウェート、またはウェートアセンブリのいずれも収容、および保持するような、多くの様々な構成のいずれも有することができる。例えば、図示されるように、ウェート部２４０は、ボディ２１０の壁２７２から、内部空洞２５７に上方に、実質的に垂直に延在する。
【００５２】
一部の実施形態において、打撃面２２２のゴルフクラブヘッド２００は、約５０ｍｍから約６５ｍｍの高さ（Ｈｓｓ）、および８０ｍｍから約１００ｍｍの幅（Ｗｓｓ）を有する。図３０を参照すると、特定の一実施形態では、ゴルフクラブヘッド２００は、約５６．８ｍｍの高さ（Ｈｓｓ）、約９２．３ｍｍの幅（Ｗｓｓ）、および約４，１００ｍｍ２の総打撃面積を有する。
【００５３】
一実施形態では、ゴルフクラブヘッド２００は、約−２ｍｍから約６ｍｍのｘ軸座標、約３３ｍｍから約４１ｍｍのｙ軸座標、および約−８ｍｍから約０ｍｍのｚ軸座標を有する、ＣＧを有する。図３０を参照すると、特定の一実施形態では、ＣＧ  ｘ軸座標は、約２．３ｍｍであり、ＣＧ  ｙ軸座標は、約３６．７ｍｍであり、ＣＧ  ｚ軸座標は、約−４．６５ｍｍである。
【００５４】
一部の実施形態において、ゴルフクラブヘッド２００は、約５５ｍｍから約７５ｍｍの高さ（Ｈｃｈ）、約１１０ｍｍから約１３０ｍｍの幅（Ｗｃｈ）、および約１１０ｍｍから約１３０ｍｍの深さ（Ｄｃｈ）を有する。図３０を参照すると、特定の一実施形態では、ゴルフクラブヘッド２００は、約６１．５ｍｍの高さ（Ｈｃｈ）、約１２２．８ｍｍの幅（Ｗｃｈ）、および約１１３．５ｍｍの深さ（Ｄｃｈ）を有する。
【００５５】
図２０および２１を参照すると、ゴルフクラブヘッド２００は、局所的なヒール質量要素２７４、およびリア質量要素２７６を含む。一部の実施形態において、ヒール質量要素２７４は、約３５ｍｍから約６５ｍｍの基点ｘ軸座標、約１０ｍｍから約４０ｍｍの基点ｙ軸座標、および約−１５ｍｍから約５ｍｍの基点ｚ軸座標を有する。特定の一実施形態では、ヒール質量要素２７４は、約５０ｍｍの基点ｘ軸座標、約２１ｍｍの基点ｙ軸座標、および約−１１ｍｍの基点ｚ軸座標を有する。同様に、一部の実施形態において、リア質量要素２７６は、約−１５ｍｍから約１５ｍｍの基点ｘ軸座標、約９５ｍｍから約１２５ｍｍの基点ｙ軸座標、および約−３０ｍｍから約０ｍｍの基点ｚ軸座標を有する。特定の一実施形態では、リア質量要素２７６は、約−１ｍｍの基点ｘ軸座標、約１０６ｍｍの基点ｙ軸座標、および約−１８ｍｍの基点ｚ軸座標を有する。
【００５６】
質量要素７４、７６と同様に、質量要素２７４、２７６は、様々な質量、またはウェートのいかなる１つを有することができる。例えば、一部の実施形態において、ヒール質量要素２７４は、約３ｇから約２３ｇの質量を有し、リア質量要素２７６は、約５ｇから約２５ｇの質量を有する。特定の一実施形態では、ヒール質量要素２７４は、約５ｇの質量を有し、リア質量要素２７６は、約８ｇの質量を有する。
【００５７】
質量要素２７４、２７６の位置および質量を含む、ゴルフクラブヘッド２００の構成は、一部の実施形態において、約４５０ｋｇ・ｍｍ２から約６００ｋｇ・ｍｍ２のＣＧ ｚ軸周囲の慣性モーメント（Ｉｚｚ）、および約２８０ｋｇ・ｍｍ２から約４００ｋｇ・ｍｍ２のＣＧ ｘ軸周囲の慣性モーメント（Ｉｘｘ）を有する、クラブヘッドをもたらすことができる。図３０に示される質量要素の位置、および質量を有する、特定の一実施形態では、クラブヘッド２００は、約４９５ｋｇ・ｍｍ２のＣＧ ｚ軸周囲の慣性モーメント（Ｉｚｚ）、および約３３３ｋｇ・ｍｍ２のＣＧｘ軸周囲の慣性モーメント（Ｉｘｘ）を有する。本実施形態では、その結果、Ｉｘｘ／Ｉｚｚの比率は、約０．６７である。しかしながら、他の実施形態では、Ｉｘｘ／Ｉｚｚの比率は、約０．５から約０．９である。
【００５８】
図２２〜２６を参照すると、別の例示的な実施形態により、ゴルフクラブヘッド３００は、内部空洞３５７を画定する、クラウン３１２、ソール３１４、スカート３１６、打撃フェース３１８を含む、ボディ３１０を有する。ボディ３１０は、ホーゼル３２０、ヒール部３２６、トウ部３２８、フロント部３３０、およびリア部３３２を、さらに含む。打撃フェース３１８は、打撃面の幾何学的中心３２３で、理想的なインパクト位置を有する、外方に向いているボール打撃面３２２を含む。また、クラブヘッド３００は、クラブヘッド３００の体積変位に等しい、立法センチメートル（ｃｍ３）で通常測定される、体積を有する。一部の実施形態において、ゴルフクラブヘッド３００は、約４２０ｃｍ３から約４８０ｃｍ３の体積、および約１９０ｇから約２１０ｇの全質量を有する。図３０を参照すると、特定の一実施形態では、ゴルフクラブヘッド３００は、約４５３ｃｍ３の体積、および約２０２．３ｇの全質量を有する。
【００５９】
特に指定のない限り、ゴルフクラブヘッド３００のボディ３１０の、全般的な詳細、および特性は、ゴルフクラブヘッド２のボディ１０、ゴルフクラブヘッド１００のボディ１１０、およびゴルフクラブヘッド２００のボディ２１０の同一、または同様の特性を参照して、理解することができる。
【００６０】
ソール１１４、２１４と同様に、ソール３１４は、クラブヘッド３００の最下点から、クラウン３１２までの距離の、約２０％から４０％上方に延在する。スカート１１６、２１６と同様に、スカート３１６は、ゴルフクラブヘッド２のスカート１６よりも高く、すなわち、より大きい約垂直距離に延在する。しかしながら、スカート１１６、２１６とは異なり、スカート３１６は、ゴルフクラブヘッド３００のトウ部３２８の、少なくとも実質的な部分の周囲に延在する、実質的に凹面の外側表面３３６を有する、反転部３５２を含む。
【００６１】
参照することによって本願に組み込まれる、米国特許出願第１１／５６５，４８５号に記載のゴルフクラブヘッドと同様に、ゴルフクラブヘッド３００は、外側部３５６、および２つの内側部３５８、３６０を有する、フィン３５０を含む（図２４および２５を参照）。外側部３５６は、凹部３３０の外側表面３３６に沿って配設され、そこから突出する。内側部３５８、３６０は、ボディ３０２の内部空洞３５７内に配設され、ボディの内側表面３３８から突出する。外側部３５６は、第１および第２の内側部３５８、３６０の間に配設され、ボディ３１０の壁３７２内に形成される、第１および第２のリブ遷移領域（図示せず）のそれぞれを介して、内側部に連結される。フィン３５０は、ボディ３１０のトウ部３２８に沿って、ゴルフクラブヘッド３００の打撃フェース３１８の、打撃面３２２に略平行に延在する。より詳しくは、フィン３５０は、ソール３１４から上方に、スカート３１６に沿ってクラウン３１２まで、ボディ３１０のトウ部３２８に沿って延在する。
【００６２】
一部の実施形態において、打撃面３２２のゴルフクラブヘッド３００は、約５０ｍｍから約６５ｍｍの高さ（Ｈｓｓ）、および約８０ｍｍから約１００ｍｍの幅（Ｗｓｓ）を有する。図３０を参照すると、特定の一実施形態では、ゴルフクラブヘッド３００は、約５７．２ｍｍの高さ（Ｈｓｓ）、約９０．６ｍｍの幅（Ｗｓｓ）、および約３，９２９ｍｍ２の総打撃面積を有する。
【００６３】
一実施形態では、ゴルフクラブヘッド３００は、約−２ｍｍから約６ｍｍのｘ軸座標、約３３ｍｍから約４１ｍｍのｙ軸座標、および約−６ｍｍから約２ｍｍのｚ軸座標を有する、ＣＧを有する。図３０を参照すると、特定の一実施形態では、ＣＧ  ｘ軸座標は、約３．３ｍｍであり、ＣＧ  ｙ軸座標は、約３０．１ｍｍであり、ＣＧ  ｚ軸座標は、約−０．０９ｍｍである。
【００６４】
一部の実施形態において、ゴルフクラブヘッド３００は、約５３ｍｍから約７３ｍｍの高さ（Ｈｃｈ）、約１０５ｍｍから約１２５ｍｍの幅（Ｗｃｈ）、および約１０５ｍｍから約１２５ｍｍの深さ（Ｄｃｈ）を有する。図３０を参照すると、特定の一実施形態では、ゴルフクラブヘッド３００は、約５９ｍｍの高さ（Ｈｃｈ）、約１１７．２ｍｍの幅（Ｗｃｈ）、および約１１７．２ｍｍの深さ（Ｄｃｈ）を有する。
【００６５】
図２５および２６を参照すると、ゴルフクラブヘッド３００は、局所的なヒール質量要素３７４、リア質量要素３７６、およびトウ質量要素３７８を含む。トウ質量要素３７８は、ヒール質量要素３７４と同様であるが、フロント部３３０に近接したゴルフクラブヘッド３１０のトウ部３２８で、スカート３１４上に配設される。
【００６６】
一部の実施形態において、ヒール質量要素３７４は、約３５ｍｍから約６５ｍｍの基点ｘ軸座標、約１０ｍｍから約４０ｍｍの基点ｙ軸座標、および約０ｍｍから約２０ｍｍの基点ｚ軸座標を有する。特定の一実施形態では、ヒール質量要素３７４は、約５３ｍｍの基点ｘ軸座標、約２１ｍｍの基点ｙ軸座標、および約７ｍｍの基点ｚ軸座標を有する。同様に、一部の実施形態において、リア質量要素３７６は、約−２５ｍｍから約５ｍｍの基点ｘ軸座標、約９０ｍｍから約１２０ｍｍの基点ｙ軸座標、および約−５ｍｍから約２５ｍｍの基点ｚ軸座標を有する。特定の一実施形態では、リア質量要素３７６は、約−１０ｍｍの基点ｘ軸座標、約１０９ｍｍの基点ｙ軸座標、および約１０ｍｍの基点ｚ軸座標を有する。
【００６７】
質量要素７４、７６と同様に、質量要素３７４、３７６は、様々な質量、またはウェートのいかなる１つを有することができる。例えば、一部の実施形態において、ヒール質量要素３７４は、約５ｇから約２５ｇの質量を有し、リア質量要素３７６は、約１０ｇから約３０ｇの質量を有する。特定の一実施形態では、ヒール質量要素３７４は、約１１ｇの質量を有し、リア質量要素３７６は、約２１ｇの質量を有する。
【００６８】
質量要素３７４、３７６の位置および質量を含むゴルフクラブヘッド３００の構成は、一部の実施形態において、約４５０ｋｇ・ｍｍ２から約６００ｋｇ・ｍｍ２のＣＧ ｚ軸周囲の慣性モーメント（Ｉｚｚ）、および約２８０ｋｇ・ｍｍ２から約４００ｋｇ・ｍｍ２のＣＧ ｘ軸周囲の慣性モーメント（Ｉｘｘ）を有する、クラブヘッドをもたらすことができる。図３０に示される質量要素の位置、および質量を有する、特定の一実施形態では、ゴルフクラブヘッド３００は、約５３６ｋｇ・ｍｍ２のＣＧ ｚ軸周囲の慣性モーメント（Ｉｚｚ）、および約３３６ｋｇ・ｍｍ２のＣＧｘ軸周囲の慣性モーメント（Ｉｘｘ）を有する。本実施形態では、Ｉｘｘ／Ｉｚｚの比率は、約０．６３である。しかしながら、他の実施形態では、Ｉｘｘ／Ｉｚｚの比率は、約０．５から約０．９である。
【００６９】
対応する長方形のボール打撃面４１０を有し、略長方形のボール打撃フェースを有し、ゴルフクラブヘッド４００の特定の例示的な一実施形態を、図２７〜２９に示す。ゴルフクラブヘッド４００は、ホーゼル４２１、および４つの略平面の側面、すなわち上側面４２２、右側面４２４、左側面４２６、および下側面４２８を有する、ボディ４２０を含む。側面４２２、４２４、４２６、４２８は、ゴルフクラブヘッドの前部４３０で、ボール打撃面４１０から先細の形で延在し、ゴルフクラブヘッドの後部４４２にある、略正方形の端部４４０で集中する。したがって、ボール打撃面４１０の表面積は、打撃面に平行の面に沿った、ボディ４２０の断面よりも大きい。ゴルフクラブヘッド４００は、打撃面４１０の幾何学的中心に配設される、クラブヘッドの基点４１６を含む。基点４１６は、上述の基点と同様の、ゴルフクラブヘッド４００のゴルフクラブヘッド座標系の、基点としての機能を果たす。
【００７０】
図示される実施形態では、側面４２２、４２４、４２６、４２８、打撃面４１０、および端部４４０の間の縁部、または交差点は、比較的鋭く見える。もちろん、側面、打撃面、および端部の間の鋭角のいかなる１つ以上も、全般的関係から逸脱することなく、緩める、または丸めることができる。概して、ゴルフクラブヘッド４００は、略ピラミッド形、角柱形、角錐台、または柱錐台の形状を有する。上から見ると、または平面図では、ゴルフクラブヘッドは、略三角形、または台形の形状を有する。
【００７１】
特定の一実施形態では、最適な寛容度、およびプレー性のために、ボール打撃面４１０は、現在のＵＳＧＡのゴルフクラブヘッドに対する寸法上の制約の下、許可されている最大表面積を有する。つまり、ボール打撃面４１０は、約７１ｍｍ（２．８ｉｎｃｈ）の最大高さ（Ｈ）、および１２５ｍｍ（５ｉｎｃｈ）の最大幅（Ｗ）を有する。したがって、ボール打撃面４１０は、約８，８７５ｍｍ２の面積を有する。他の実施形態では、ボール打撃面４１０は、約６７ｍｍから７１ｍｍの最大高さ（Ｈ）、約１１８ｍｍから１２５ｍｍの最大幅（Ｗ）、および約７，９００ｍｍ２から８，８７５ｍｍ２の、対応するボール打撃面積を有することができる。
【００７２】
特定の実施形態では、ゴルフクラブヘッド４００は、現在のＵＳＧＡの寸法上の制約の下、許可されている最大深さに等しい、すなわち、約１２５ｍｍの最大深さ（Ｄ）を有する。他の実施形態では、ゴルフクラブヘッド４００は、約１１８ｍｍから１２５ｍｍの最大深さ（Ｄ）を有することができる。一部の実施形態において、ゴルフクラブヘッド４００は、現在のＵＳＧＡの寸法上の制約の下、許可されている最大体積に等しい、すなわち、約４６０ｃｍ３の体積を有する。正方形端部４４０の面積は、約３４２ｍｍ２から３６１ｍｍ２に及ぶことができる。
【００７３】
ゴルフクラブヘッド４００は、１つ以上の別個の質量要素を含む。例えば、図示される実施形態では、ゴルフクラブヘッド４００は、ヒール質量要素４７４、リア質量要素４７６、およびトウ質量要素４７８の、３つの別個の質量要素を含む。各質量要素４７４、４７６、４７８は、ゴルフクラブヘッド４００周囲のその位置、および質量によって画定される。ゴルフクラブヘッド周囲の質量要素の位置は、ゴルフクラブヘッドの基点座標系上の、質量要素ＣＧの座標によって表される。
【００７４】
特定の慣性モーメントＩｘｘ、およびＩｚｚ、ならびに特定のＩｘｘ／Ｉｚｚの比率を達成するために、特有の質量要素の位置、およびウェートをそれぞれ有する、例えば、ゴルフクラブヘッドの構成４００Ａ〜４００Ｇなど、様々な構成のいかなる１つに従って、ゴルフクラブヘッド４００を構成することができる。各構成４００Ａ〜４００Ｇのボディ４２０は、複合材料から構成されることができ、各構成４００Ａ〜４００Ｇの、ゴルフクラブヘッド４００の全質量は、約２０３ｇである。
【００７５】
図３１を参照すると、ゴルフクラブヘッドの構成４００Ａ〜４００Ｇに対する、ヒール質量要素４７４、リア質量要素４７６、およびトウ質量要素４７８の位置、および質量、ならびに得られる慣性モーメントの特性が示される。図示されるように、各ゴルフクラブヘッドの構成４００Ａ〜４００Ｇに対して、ＣＧｘ軸周囲の慣性モーメント（Ｉｘｘ）は、約４２７ｋｇ・ｍｍ２から約５２５ｋｇ・ｍｍ２であり、ＣＧｚ軸周囲の慣性モーメント（Ｉｚｚ）は、約４４７ｋｇ・ｍｍ２から約７０２ｋｇ・ｍｍ２であり、Ｉｘｘ／Ｉｚｚの比率は、約０．６６から約０．９６である。
【００７６】
図３１に示すように、３つの集中した質量要素の位置、およびウェートは、所定のＣＧｚ軸周囲の慣性モーメント（Ｉｚｚ）、またはＣＧ ｘ軸（Ｉｘｘ）に対する、Ｉｘｘ／Ｉｚｚの比率に大きな影響を及ぼす。例えば、ゴルフクラブヘッドの構成４００Ａは、約０．６６のＩｘｘ／Ｉｚｚの比率を達成するために、約４２７ｋｇ・ｍｍ２のＣＧ ｘ軸周囲の慣性モーメント（Ｉｘｘ）、および約６４５ｋｇ・ｍｍ２のＣＧｚ軸周囲の慣性モーメント（Ｉｚｚ）を有する。ＣＧ ｘ軸周囲の慣性モーメント（Ｉｘｘ）、およびｚ軸（Ｉｚｚ）は、高い／低い、および左／右のオフセンターのヒット、それぞれに高い寛容度を提供するが、本構成に対するＣＧｚ軸周囲の慣性モーメント（Ｉｚｚ）は、ゴルファーが、ゴルフボールとのインパクト前に、クラブヘッドを直角にすることを困難にする可能性がある。
【００７７】
構成４００Ａと比較して、おそらくより好ましい構成として、ゴルフクラブヘッドを、構成４００Ａよりもヒール質量要素４７４に近い、トウ質量要素４７８を有するように、構成することによって、ゴルフクラブヘッドの構成４００Ｂを得ることができる。得られたゴルフクラブヘッドの構成４００Ｂは、構成４００Ａと同一の、ＣＧｘ軸周囲の慣性モーメント（Ｉｘｘ）を有するが、ＣＧ ｚ軸周囲の慣性モーメント（Ｉｚｚ）、すなわち、約５９３ｋｇ・ｍｍ２は、約０．７２のＩｘｘ／Ｉｚｚのわずかに高い比率を達成するために、構成４００Ａよりも小さい。ゴルフクラブヘッドの構成４００Ｂは、構成４００Ｂよりも低い、ＣＧｚ軸周囲の慣性モーメント（Ｉｚｚ）を有するが、ゴルファーがインパクト前に、ゴルフクラブヘッドを、より簡単に直角にすることを可能にする一方で、慣性モーメントは、それでもなお、左／右のオフセンターのヒットに対して、高い寛容度を提供するに十分高い。
【００７８】
インパクト前に、ゴルフクラブヘッドを直角にすることを、より容易にするために、構成４００Ｃは、構成４００Ｃと比較して、ＣＧ  ｚ軸周囲の慣性モーメント（Ｉｚｚ）を減少させ、ＣＧ  ｘ軸周囲の慣性モーメント（Ｉｘｘ）を維持する構成４００Ｂよりも、互いに近いヒール、およびトウ質量要素４７４、４７８を含む。したがって、構成４００Ｃは、高い／低いインパクトの悪影響を軽減するために、非常に高いＣＧ  ｘ軸周囲の慣性モーメント（Ｉｘｘ）を維持し、右／左のインパクトの悪影響を軽減するために、高いＣＧ  ｚ軸周囲の慣性モーメント（Ｉｚｚ）を達成する。構成４００Ｃの、得られたＩｘｘ／Ｉｚｚの比率、約０．９６は、構成４００Ｂの比率よりも、著しく高い。
【００７９】
構成４００Ｄは、そのｚ軸周囲の慣性モーメント（Ｉｚｚ）、および構成４００Ｂと構成４００Ｃとの間にある、Ｉｘｘ／Ｉｚｚの比率を有する。
構成４００Ｅ〜４００Ｇは、構成４００Ｂ〜４００Ｄと比較して、同様のパターンをたどる。より詳しくは、構成４００Ｆは、そのｚ軸周囲の慣性モーメント（Ｉｚｚ）、および構成４００Ｅと構成４００Ｇとの間にある、Ｉｘｘ／Ｉｚｚの比率を有する。しかしながら、構成４００Ｅ〜４００Ｇは、いくつかの点において、構成４００Ｂ〜４００Ｄと異なる。最も著しいものとして、それぞれの構成４００Ｅ〜４００Ｇのヒール、およびトウ質量要素４７４、４７８は、それぞれの構成４００Ｂ〜４００Ｄのヒール、およびトウ質量要素４７４、４７８よりも、小さいウェートを有する。さらに、それぞれの構成４００Ｅ〜４００Ｇのリア質量要素４７６は、それぞれの構成４００Ｂ〜４００Ｄのリア質量要素４７６よりも、大きいウェートを有する。つまり、より大きいウェートは、構成４００Ｂ〜４００Ｄにおいてよりも、構成４００Ｅ〜４００Ｇのリアにおいて集中する。その結果として、構成４００Ｅ〜４００Ｇは、対応する構成のＩｘｘ／Ｉｚｚの比率が、比例して同様のままである一方で、構成４００Ｂ〜４００Ｃによって達成される、同一の慣性モーメントよりも著しく高い、それぞれのＣＧ  ｘ軸周囲の慣性モーメント（Ｉｘｘ）を有することになる。
【００８０】
図３２を参照すると、上述の様々なゴルフクラブヘッドの実施形態の、それぞれに対する、Ｉｘｘ／Ｉｚｚの比率対、ｚ軸周囲の慣性モーメント（Ｉｚｚ）が示される。また、複数の従来のゴルフクラブヘッドに対する、Ｉｘｘ／Ｉｚｚの比率対、ｚ軸周囲の慣性モーメント（Ｉｚｚ）が示される。示される従来のゴルフクラブヘッドは、約２５０ｋｇ・ｍｍ２から４８０ｋｇ・ｍｍ２の、それらの、それぞれのＣＧ ｚ軸周囲の慣性モーメント（Ｉｚｚ）、および約０．４５から０．７８のＩｘｘ／Ｉｚｚの比率を有する。しかしながら、（１）約４８０ｋｇ・ｍｍ２よりも大きい、ＣＧ ｚ軸周囲の慣性モーメント（Ｉｚｚ）、および約０．６よりも大きい、Ｉｘｘ／Ｉｚｚの比率、または（２）約４４０ｋｇ・ｍｍ２よりも大きい、ＣＧ ｚ軸周囲の慣性モーメント（Ｉｚｚ）、および０．８よりも大きい、Ｉｘｘ／Ｉｚｚの比率を有する、個々の従来のゴルフクラブヘッドは、１つもない。
【００８１】
開示されるゴルフクラブヘッドの原理を応用することができる、多くの可能な実施形態を考慮して、図示される実施形態は、好ましい実施例に過ぎず、開示されるゴルフクラブヘッドの範囲を、限定すると考えるべきではないことを、認識されるものとする。正確には、本発明の範囲は、以下の請求項によって定義される。したがって、我々は、これらの請求項の範囲、および精神内に入るすべてを、我々の発明として請求する。
【図面の簡単な説明】
【００８２】
【図１】図１は、第１の実施形態による、ゴルフクラブヘッドの側面図である。
【図２】図２は、図１のゴルフクラブヘッドの正面図である。
【図３】図３は、図１のゴルフクラブヘッドの底面斜視図である。
【図４】図４は、ゴルフクラブヘッドの基点の座標系を示し、図１のゴルフクラブヘッドの正面図である。
【図５】図５は、重心の座標系を示し、図１のゴルフクラブヘッドの側面図である。
【図６】図６は、図１のゴルフクラブヘッドの平面図である。
【図７】図７は、図１の線６−６に沿った図１のゴルフクラブヘッドの断面図である。
【図８】図８は、図６の線８−８に沿っており、ホーゼルなしで示される、図１のゴルフクラブヘッドの断面側面図である。
【図９】図９は、ヒール質量要素を示し、図６の線９−９に沿った、図１のゴルフクラブヘッドの断面詳細図である。
【図１０】図１０は、第２の実施形態による、ゴルフクラブヘッドの側面図である。
【図１１】図１１は、図１０のゴルフクラブヘッドの正面図である。
【図１２】図１２は、図１０のゴルフクラブヘッドの底面斜視図である。
【図１３】図１３は、図１０のゴルフクラブヘッドの平面図である。
【図１４】図１４は、図１０の線１４−１４に沿った図１０のゴルフクラブヘッドの断面図である。
【図１５】図１５は、図１３の線１５−１５に沿った図１のゴルフクラブヘッドの断面詳細図である。
【図１６】図１６は、図１４の線１６−１６に沿っており、ホーゼルなしで示される、図１のゴルフクラブヘッドの断面側面図である。
【図１７】図１７は、第３の実施形態による、ゴルフクラブヘッドの側面図である。
【図１８】図１８は、図１７のゴルフクラブヘッドの底面斜視図である。
【図１９】図１９は、図１７のゴルフクラブヘッドの平面図である。
【図２０】図２０は、図１７の線２０−２０に沿った図１７のゴルフクラブヘッドの断面図である。
【図２１】図２１は、図１９の線２１−２１に沿っており、ホーゼルなしで示される、図１７のゴルフクラブヘッドの断面側面図である。
【図２２】図２２は、第４の実施形態による、ゴルフクラブヘッドの側面図である。
【図２３】図２３は、図２２のゴルフクラブヘッドの正面図である。
【図２４】図２４は、図２２のゴルフクラブヘッドの平面図である。
【図２５】図２５は、図２２の線２５−２５に沿った図２２のゴルフクラブヘッドの断面図である。
【図２６】図２６は、図２４の線２６−２６に沿っており、ホーゼルなしで示される、図２２のゴルフクラブヘッドの、断面側面図である。
【図２７】図２７は、第５の実施形態による、ゴルフクラブヘッドの斜視図である。
【図２８】図２８は、図２７のゴルフクラブヘッドの側面図である。
【図２９】図２９は、図２８のゴルフクラブヘッドの平面図である。
【図３０】図３０は、第１、第２、第３、および第４のゴルフクラブヘッドの実施形態の、様々なゴルフクラブヘッド特性を示すチャートである。
【図３１】図３１は、第５のゴルフクラブヘッドの実施形態のいくつかの構成の、様々なゴルフクラブヘッド特性を示す、チャートである。
【図３２】図３２は、第１から第５のゴルフクラブヘッドの実施形態、および様々な従来のゴルフクラブヘッドに関する、重心ｚ軸周囲の慣性モーメントに対する、重心ｘ軸周囲の慣性モーメントの比率対、重心ｚ軸周囲の慣性モーメントを示す、グラフである。
【図１】
0005400337.tif 000004
【図２】
0005400337.tif 000005
【図３】
0005400337.tif 000006
【図４】
0005400337.tif 000007
【図５】
0005400337.tif 000008
【図６】
0005400337.tif 000009
【図７】
0005400337.tif 000010
【図８】
0005400337.tif 000011
【図９】
0005400337.tif 000012
【図１０】
0005400337.tif 000013
【図１１】
0005400337.tif 000014
【図１２】
0005400337.tif 000015
【図１３】
0005400337.tif 000016
【図１４】
0005400337.tif 000017
【図１５】
0005400337.tif 000018
【図１６】
0005400337.tif 000019
【図１７】
0005400337.tif 000020
【図１８】
0005400337.tif 000021
【図１９】
0005400337.tif 000022
【図２０】
0005400337.tif 000023
【図２１】
0005400337.tif 000024
【図２２】
0005400337.tif 000025
【図２３】
0005400337.tif 000026
【図２４】
0005400337.tif 000027
【図２５】
0005400337.tif 000028
【図２６】
0005400337.tif 000029
【図２７】
0005400337.tif 000030
【図２８】
0005400337.tif 000031
【図２９】
0005400337.tif 000032
【図３０】
0005400337.tif 000033
【図３１】
0005400337.tif 000034
【図３２】
0005400337.tif 000035